(57)【要約】  少なくとも１つの第１の組立部品と第２の組立部品とを備える玩具組立セットであって、少なくとも１つの第１の組立部品は各部品の接続ロッドに配置されたボール５、１０を有し、第２の組立部品は上記ボールを収納して関節接続された玉継手を形成するように配置され適合されたソケット６を有する、玩具組立セット。本発明によれば、玩具組立セットはまた、第２の種類のソケット９を有する少なくとも１つの第３の組立部品も備え、第２の種類のソケットが、第１の組立部品の上記ボールを収納して第２の種類のソケットとボールとの間にスナップ接続を提供するように適合され、第１の組立部品及び第３の組立部品が位置決め手段を備え、ボール５が第２の種類のソケット９に収納される場合、位置決め手段が互いに係合して、第３の組立部品を第１の組立部品に対して固定位置に保持するように適合される。【選択図】図１
2013540533.tif 000002
【特許請求の範囲】
【請求項１】
少なくとも１つの第１の組立部品と第２の組立部品とを備える玩具組立セットであって、前記少なくとも１つの第１の組立部品は各部品の接続ロッドに配置されたボールを有し、前記第２の組立部品は前記ボールを収納して関節接続された玉継手を形成するように配置され適合されたソケットを有する玩具組立セットにおいて、該組立セットは第２の種類のソケットを有する少なくとも１つの第３の組立部品も備え、前記第２の種類のソケットが、前記第１の組立部品の前記ボールを収納して前記第２の種類のソケットと前記ボールとの間にスナップ接続を提供するように適合され、前記第１の組立部品及び前記第３の組立部品が位置決め手段を備え、前記ボールが前記第２の種類のソケットに収納される場合、前記位置決め手段が互いに係合して、前記第３の組立部品を前記第１の組立部品に対して固定位置に保持するように適合されることを特徴とする、玩具組立セット。
【請求項２】
厳密には２つの接続ロッドが、前記ボールの両側で前記ボールから延びることを特徴とする、請求項１に記載の玩具組立セット。
【請求項３】
少なくとも前記ボールの近傍において、前記接続ロッドが正方形断面を有することを特徴とする、請求項２に記載の玩具組立セット。
【請求項４】
前記第２の種類のソケットが、前記第３の組立部品の表面から延びる２つの弾性フランジを備え、前記２つの弾性フランジのそれぞれが、他方の前記弾性フランジに面し、前記弾性フランジの間に前記ボールをスナップ嵌めするように適合された表面を有することを特徴とする、請求項３に記載の玩具組立セット。
【請求項５】
前記第３の組立部品の前記位置決め手段が、前記２つの弾性フランジのうちの少なくとも一方に配置される１組のサイドフランジを備え、前記ボールが前記２つの弾性フランジの間にスナップ嵌めされた場合、前記サイドフランジが前記接続ロッドのそれぞれの前記正方形断面のかなり近傍に位置決めされるように適合されることを特徴とする、請求項４に記載の玩具組立セット。
【請求項６】
前記第２の組立部品の前記ソケットが２つの弾性ジョーを備え、前記２つの弾性ジョーが、他方の前記ジョーに面する凹面をそれぞれ有し、前記凹面間の距離が、前記ボールを前記凹面間にスナップ嵌めすることができ、それにより、前記ボールが前記ジョー間にスナップ嵌めされる場合、前記弾性ジョーの両方が前記ボールに押し付けられるようなものであることを特徴とする、請求項１乃至５のいずれか１項に記載の玩具組立セット。
【請求項７】
前記第２の組立部品の前記ソケットが、前記ボールが前記２つの弾性ジョー間にスナップ嵌めされる場合、前記第２の組立部品が前記ボールと前記２つのジョーとの摩擦嵌合から離れて、前記ボールの回りに自在に回転可能なように形成されることを特徴とする、請求項６に記載の玩具組立セット。
【請求項８】
前記ボールが前記弾性フランジ間にスナップ嵌めされる場合、前記第３の組立部品の前記弾性フランジを前記ボールに押し付ける力がゼロであるか、又は、前記ボールが前記弾性ジョーの間にスナップ嵌めされる場合、前記２つの弾性ジョーが前記ボールに押し付けられる対応する力よりも少なくともかなり低いことを特徴とする、請求項１乃至７のいずれか１項に記載の玩具組立セット。
【請求項９】
前記第１の組立部品が、第２の種類の接続ロッドにより前記第１の組立部品に接続された第２のボールも備え、前記第２の種類の接続ロッドが、前記第２の種類のボールの近傍においてかなりより小さな断面を有することを特徴とする、請求項１に記載の玩具組立セット。
【発明の詳細な説明】
【技術分野】
【０００１】
本発明は、少なくとも１つの第１の組立部品と少なくとも１つの第２の組立部品とを備える玩具組立セットであって、少なくとも１つの第１の組立部品は各部品の接続ロッドに配置されたボールを有し、少なくとも１つの第２の組立部品は上記ボールを収納して関節接続された玉継手を形成するように配置され適合されたソケットを有する、玩具組立セットに関する。
【背景技術】
【０００２】
［関連技術の記載］
上述した種類の玩具組立セットは多くの異なる実施形態においてよく知られており、非常に頻繁に、人間、ロボット、動物、怪物等を表す玩具フィギュアを組み立てる可能性を提供するように設計される。
【０００３】
上述した種類の組立セット（building set）の例は、例えば、玉継手を介して接続して、関節接続された玩具フィギュアを形成することができる幾つかの別個の組立部品を開示する特許文献１から、又は多くの異なる方法で互いに接続して、関節接続されたフィギュア若しくは構造物を形成することができる結合ボール及び相補的なソケットを有する多くの異なる種類の部品を開示する特許文献２から既知である。
【０００４】
しかし、この種の組立セットに伴う問題は、相対的に標準化された組立部品がそれ自体、異なる種類の玩具フィギュアの組立てに使用される場合、各玩具フィギュアのデザインの印象がほぼ同じであるため、特に魅力的に見えないことである。
【０００５】
したがって、組立部品が実在の身体部分により類似して見えるように設計される他の組立セットが当分野において既知である。
【０００６】
しかし、これらの組立セットに伴う問題は、各組立部品が、特定の身体部分を表すに特に設計され、それ故、各組立部品の用途が制限されることである。
【先行技術文献】
【特許文献】
【０００７】
【特許文献１】欧州特許出願第８５６３４１号
【特許文献２】米国特許第５７９６８１号
【発明の概要】
【発明が解決しようとする課題】
【０００８】
したがって、本発明の主目的は、単純な手段による各組立てがより様々な用途を提供し、ひいては、幾つかの異なる組立部品から多くの異なる玩具フィギュアを組み立てるのを容易にする玩具組立セットを提供することである。
【課題を解決するための手段】
【０００９】
これは、請求項１に記載の本発明により、特に、該組立セットは第２の種類のソケットを有する少なくとも１つの第３の組立部品も備え、前記第２の種類のソケットが、前記第１の組立部品の前記ボールを収納して前記第２の種類のソケットと前記ボールとの間にスナップ接続を提供するように適合され、前記第１の組立部品及び前記第３の組立部品が位置決め手段を備え、前記ボールが前記第２の種類のソケットに収納される場合、前記位置決め手段が互いに係合して、前記第３の組立部品を前記第１の組立部品に対して固定位置に保持するように適合されることにより達成される。
【００１０】
このようにして、同じボールが、異なる機能、特に玩具フィギュアに関連して異なる機能を得る異なるソケットを取り付ける可能性を提供し、第１の組立部品及び第２の組立部品は、玩具フィギュアのボーンを表すように設計された部品とすることができ、第３の組立部品は、筋肉、機械的若しくは電気的なアクチュエータ、又はフィギュアのボーン構造を形成する第１の組立部品及び第２の組立部品にボリュームを与える適用する任意の他の形状を表すように設計することができる。
【００１１】
好ましい実施の形態では、厳密には２つの接続ロッドが、前記ボールの両側で前記ボールから延びる。
【００１２】
これに関連して、少なくとも前記ボールの近傍において、前記接続ロッドが正方形断面を有する場合が特に有利であり、前記第２の種類のソケットが、前記第３の組立部品の表面から延びる２つの弾性フランジを好ましくは備えることができ、前記２つの弾性フランジのそれぞれが、他方の前記弾性フランジに面し、前記弾性フランジの間に前記ボールをスナップ嵌めするように適合された表面を有する。
【００１３】
前記第３の組立部品の前記位置決め手段が、前記２つの弾性フランジのうちの少なくとも一方に配置される１組のサイドフランジを備える場合、第３の組立部品を第１の組立部品に固定して位置決めすることが達成され、前記ボールが前記２つの弾性フランジの間にスナップ嵌めされた場合、前記サイドフランジが前記接続ロッドのそれぞれの前記正方形断面のかなり近傍に位置決めされるように適合される。
【００１４】
前記第２の組立部品の前記ソケットが２つの弾性ジョーを好ましくは備えることができ、前記２つの弾性ジョーが、他方の前記ジョーに面する凹面をそれぞれ有し、前記凹面間の距離が、前記ボールを前記凹面間にスナップ嵌めすることができ、それにより、前記ボールが前記ジョー間にスナップ嵌めされる場合、前記弾性ジョーの両方が前記ボールに押し付けられるようなものである。
【００１５】
これに関連して、前記第２の組立部品の前記ソケットが、前記ボールが前記２つの弾性ジョー間にスナップ嵌めされる場合、前記第２の組立部品が前記ボールと前記２つのジョーとの摩擦嵌合から離れて、前記ボールの回りに自在に回転可能なように形成される場合が有利である。
【００１６】
好ましい実施の形態では、前記ボールが前記弾性フランジ間にスナップ嵌めされる場合、前記第３の組立部品の前記弾性フランジを前記ボールに押し付ける力がゼロであるか、又は、前記ボールが前記弾性ジョーの間にスナップ嵌めされる場合、前記２つの弾性ジョーが前記ボールに押し付けられる対応する力よりも少なくともかなり低い。
【００１７】
更に好ましい実施の形態では、前記第１の組立部品が、第２の種類の接続ロッドにより前記第１の組立部品に接続された第２のボールも備え、前記第２の種類の接続ロッドが、前記第２の種類のボールの近傍においてかなりより小さな断面を有する。
【００１８】
以下において、本発明について、同封される図面に示される実施形態を参照してより詳細に説明する。示される実施形態が、例示のみを目的として使用され、本発明の範囲の限定に使用されるべきではないことが強調されるべきである。
【図面の簡単な説明】
【００１９】
【図１】本発明による玩具フィギュアを示す図である。
【図２】本発明による、図１の図に示される設計部品のうちの１つの断面図である。
【図３】図１に示されるボディ部品の異なる実施形態を示す図である。
【図４】図１に示されるボディ部品の異なる実施形態を示す図である。
【図５】図１に示されるボディ部品の異なる実施形態を示す図である。
【発明を実施するための形態】
【００２０】
図１は、本発明による組立部品を使用することにより組み立てられた玩具フィギュアを示す。フィギュアのボーン構造は、特に、図３、図４、及び図５による組立部品１、２、及び３から作られ、図２に示されるような幾つかの設計部品４は、本発明によれば玩具フィギュアのボーン構造に取り付けられる。
【００２１】
設計部品は、設計部品の片側に配置された２つの弾性フランジ６（図２では１つしか見えない）を有し、これらの２つの弾性フランジは、相互距離を有して配置され、図３、図４、又は図５に示される組立部品のうちの１つのボール５を２つの弾性フランジ６の間にスナップ嵌めして、設計部品を、ボール５が２つの弾性フランジ６の間に配置されることを示す図４に示されるように組立部品のボール５に取り付けることができるように形成される。
【００２２】
この実施形態では、弾性フランジ６は、正方形断面を有する接続ロッド８の一部の近傍にサイドフランジ７を有する。それにより、設計部品は、ボール５と弾性フランジ６とのスナップ接続を解除せずにはボール５の回りに回転することができない。したがって、設計部品をボール５に対して固定位置に保つために、弾性フランジをボール５に押し付ける必要はない。
【００２３】
図４及び図５による組立部品は、これらの組立部品が、他方のジョーに面する凹面をそれぞれ有する１組の弾性ジョー９を有することも示し、凹面間の距離は、別の組立部品（図示せず）の一部であるジョー５間に配置されているボール５を示す図５に示されるように、凹面間でボールをスナップ嵌めすることができるようなものである。弾性ジョー９がボール５の回りに自在に回転できないことを保証するために、ジョーは、ジョー９の凹面が両方ともボール５に押し付けられて、摩擦抵抗を提供するように設計される。
【００２４】
しかし、弾性ジョー９は、ボール５の球面に当接するだけであるため、図５において、弾性ジョー９をボール５の周りを強制的に回転させることができる。
【００２５】
本発明によれば、それにより、まず、図３、図４、及び図５による組立部品を使用して、玩具フィギュアのボーン構造を組み立てることにより、構造物、特に玩具フィギュアを組み立てることが可能であり、図３に示される組立部品は、ボーン構造の体幹を表すために有用であり、図４及び図５に示される２つの部品は、弾性ジョー９を体幹のボール１０に取り付けることにより、例えば、図１に示される玩具フィギュアの上腕又は前腕のボーン構造として使用することができる。
【００２６】
ボール５及び１０は同じサイズを有するため、組立部品及び設計部品の両方を同じボール５、１０に取り付けることができ、それにより、非常に異なる機能を有する多数の異なる構造物すなわちフィギュアを単純な手段により組み立てる多くの異なる可能性が提供される。
【００２７】
特許請求の範囲による本発明の概念から逸脱せずに、図に示されるものとは別の、組立部品及び設計部品の設計を示唆可能なことが当業者には明らかであろう。
【図１】
2013540533.tif 000003
【図２】
2013540533.tif 000004
【図３】
2013540533.tif 000005
【図４】
2013540533.tif 000006
【図５】
2013540533.tif 000007
【国際調査報告】
2013540533.tif 000008
2013540533.tif 000009
2013540533.tif 000010